(57)【要約】【課題】内蓋を取付けていなくても蓋体が閉められ、この状態でも内蓋の取付け忘れを容易に知ることができる炊飯器を提供すること。【解決手段】本体ケース１と、本体ケース１内に収容される内鍋４と、上蓋１５及び下蓋１６からなり本体ケース１に設けたヒンジ部１４に枢支されて内鍋４の開口部を開閉する蓋体１３と、下蓋１６に着脱自在に装着される内蓋１８とを備え、蓋体１３に、本体ケース１に設けたラッチ２３が係止する係止部１６ｄを設けると共に、内蓋１８の着脱により移動する内蓋保持具１９を備えた炊飯器であって、内蓋保持具１９の動作を検知する検知手段２４を備えた。【選択図】        図１
2004180889.tif 000002
【特許請求の範囲】
【請求項１】
本体ケースと、該本体ケース内に収容される内鍋と、上蓋及び下蓋からなり前記本体ケースに設けたヒンジ部に枢支されて前記内鍋の開口部を開閉する蓋体と、前記下蓋に着脱自在に装着される内蓋とを備え、前記蓋体に、前記本体ケースに設けたラッチが係止する係止部を設けると共に、前記内蓋の着脱により移動する内蓋保持具を備えた炊飯器において、
前記内蓋保持具の動作を検知する検知手段を備えたことを特徴とする炊飯器。
【請求項２】
前記検知手段の検知結果を表示又は報知する手段を備えたことを特徴とする請求項１記載の炊飯器。
【発明の詳細な説明】
【０００１】
【発明の属する技術分野】
本発明は炊飯器に係り、より詳しくは、蓋体に取付ける内蓋の取付け忘れを防止することができる炊飯器に関するものである。
【０００２】
【従来の技術】
従来の炊飯器は、内蓋が取り付けられていないときは、内蓋保持具が内鍋のフランジ部に当接して蓋を閉じることができないようになっていた。すなわち、蓋体から内蓋を取外すと、内蓋保持具がばねに付勢されて下蓋の嵌合凹部内を移動し、最後部に位置する。この状態で、本体ケース内に内鍋を収容して蓋体を閉じると、内蓋保持具の折曲部の先端部が内鍋のフランジに当接し、蓋体をそれ以上閉じることができなかった（例えば、特許文献１参照）。
【０００３】
【特許文献１】
特開２０００−２３８３４号公報（第３〜４頁、図１〜６）。
【０００４】
【発明が解決しようとする課題】
上記のように構成した従来の炊飯器によれば、内蓋を取付けないと蓋体を閉じることができないため、炊飯後、内蓋を洗った後にこれを乾燥している間、蓋体は開いた状態で放置されており、内鍋収納部や上枠上面などの本体ケースの内部に埃や異物等が入ってしまうことがあった。
【０００５】
本発明は上記のような課題を解決するためになされたもので、内蓋を取付けていなくても蓋体が閉められ、この状態でも内蓋の取付忘れを容易に知ることができる炊飯器を提供することを目的とする。
【０００６】
【課題を解決するための手段】
本発明は、本体ケースと、本体ケース内に収容される内鍋と、上蓋及び下蓋からなり本体ケースに設けたヒンジ部に枢支されて内鍋の開口部を開閉する蓋体と、下蓋に着脱自在に装着される内蓋とを備え、蓋体に、本体ケースに設けたラッチが係止する係止部を設けると共に、内蓋の着脱により移動する内蓋保持具を備えた炊飯器であって、内蓋保持具の動作を検知する検知手段を備えたものである。
【０００７】
【発明の実施の形態】
図１は本発明の一実施の形態に係る炊飯器の縦断面図、図２は図１の要部拡大図、図３は図２の平面図、図４は図１の側面図、図５は図１の平面図、図６は図１の操作部の平面図である。
【０００８】
図１〜図６において、本体ケース１は側面ケース１ａと下ケース１ｂとからなり、本体ケース１の内側には本体ケース１と一体に形成された内遮熱板２が設けられ、その外周には炊飯時及び保温時に通電されて発熱する胴ヒータ３が密着して取り付けられている。
【０００９】
本体ケース１内には上端部にフランジ４ａを有する内鍋４が収容されており、米、水等が入れられ炊飯される。また、内鍋４の底部から側部の一部にかけて合成樹脂性のコイル台５が設けられており、その外面には通電により交番磁界を発生して内鍋４を誘導加熱する電磁誘導コイル６が取付けられ、上部は内遮熱板２に当接して内鍋収容部を構成している。
【００１０】
電磁誘導コイル６の外側には複数のフェライト板７が等間隔に配設されており、電磁コイル６から放出されたノイズを減少させる。内鍋４の底部には温度センサ８が当接（又は近接）して設置され、内蓋４の底部の温度を検出する。本体ケース１内にはさらに制御基板９、コードリール１０が設けられており、本体ケース１の前側には操作基板１１を内蔵する操作部１２が設けられている。
【００１１】
本体ケース１には蓋体１３がヒンジ部１４によって開閉自在に装着されており、ヒンジばね１４ａにより、常時、開放側に付勢されている。この蓋体１３は、上蓋１５と下蓋１６とからなり、上蓋１５に設けた凹部及び下蓋１６に設けた貫通穴には、おねば容器１７が着脱自在に装着されている。下蓋１６には内蓋１８（後に詳述）が着脱自在に装着されており、そのヒンジ部１４側には内蓋１８の取付溝１６ａが設けられ、内周には内蓋１８のリング部１８ａが嵌入するほぼリング状の嵌合凹部１６ｂが設けられている。
【００１２】
下蓋１６の嵌合凹部１６ｂのヒンジ部１４と反対側の上面には、内蓋保持具１９（後に詳述）が摺動可能に配設される開口部が設けられており、さらに、前端部は下方に折曲げられてその途中の前側には係止部１６ｃが突出され、上蓋１５に設けた穴１５ａを貫通して外部に突出している。なお、仕切板２０は下蓋１６に固定され、その上面には蓋ヒータ２０ａを備えている。
【００１３】
内蓋１８は外周に下蓋１６の嵌合凹部１６ｂに嵌合するリング部１８ａを有して下蓋１６に着脱自在に装着され、リング部１８ａの前側には内蓋保持具１９（後述）の係止凸部１９ｂに係止する係止爪１８ｂが設けられており、また、蓋部１３を閉じたときに内鍋４のフランジ４ａに圧着して内鍋４の開口部をシールする蓋パッキン１８ｃが装着されている。
【００１４】
内蓋保持具１９は水平部とその前側を下方に折曲げた折曲げ部とからなるほぼＬ字状をなし、水平部の後側にはばね受け１９ａが突設され、折曲げ部の後側面には係合凸部１９ｂが設けられている。支持板２１は摺動溝２１ａを有して下蓋１６の開口部上に固定されており、内蓋保持具１９はそのばね受け１９ａが支持板２１の摺動溝２１ａに嵌入され、下蓋１６と支持板２１との間に位置して前後方向に摺動可能に保持されている。
【００１５】
ばね２２は上蓋１５と内蓋保持具１９のばね受け１９ａとの間に介装されており、内蓋保持具１９を、常時、矢印イ方向（後側方向）に付勢している。ケース本体１には弾性部材２３ａが取り付けられており、この弾性部材２３ａによってラッチ２３が支持され、蓋体１３を閉じたときに蓋体１３の係止部１６ｃに係止して蓋体１３をロックする。
【００１６】
内蓋保持具１９の後側の下蓋１６上には、内蓋１８の有無を検知する検知手段であるマイクロスイッチ２４が固定されており、その表示部１２ａは操作部１２に設けられて内蓋１８の有無を表示する。表示手段としては、例えば液晶に文字表示、または表示パネル上に文字表示をして操作基板１１上に取付けられた発光素子により表示されるのもの等があるが、他の手段によってもよい。なお、操作基板１１には、内蓋１８の有無を報知するブザーが組み込まれている。
【００１７】
上記のように構成した炊飯器の蓋体１３の開閉作用についてまず説明する。内蓋１８が装着された状態で蓋体１３が閉じているときは、図２、図３に示すように、内蓋１８のリング部１８ａが内蓋保持具１９を矢印ロ方向（前側方向）に摺動させ、その係止爪１８ｂが内蓋保持具１９の係止突起１９ｂに係止して、内蓋保持具１９を図に示す位置に保持している。このとき、内蓋保持具１９の折曲げ部の下端部は内鍋４のフランジ４ａのやや上部に位置し、下蓋１６の嵌合凹部１６ｂ内に位置しており、後端部はマイクロスイッチ２４から離れた位置にある。そして、ラッチ２３は下蓋１６の係止部１６ｃに係止して蓋体１３をロックし、また、内蓋１８に設けた蓋パッキン１８ｃは、内鍋４のフランジ４ａに密着して内鍋４の開口部を確実にシールしている。
【００１８】
このように蓋体１３に内蓋１８が装着されていれば、内鍋４に米や水等を入れて本体ケース１内に収容し、蓋体１３を閉じて炊飯するにあたり、内蓋１８に設けた蓋パッキン１８ｃが内鍋４の開口部を確実にシールしているので蒸気が漏れるおそれがなく、おいしいご飯を炊くことができる。
【００１９】
いま、蓋体１３を開いて内蓋１８を取り外すと、図８、図９に示すように、内蓋保持具１９はばね２２に付勢されて下蓋１６の嵌合凹部１６ｂ内を矢印イ方向に移動し、その後端部がマイクロスイッチ２４に当接してＯＮ状態にする。このとき内蓋保持具１９の折れ曲げ部の下端部は    内鍋４のフランジ４ａのやや上部に位置してフランジ４ａに接触することがなく、このため先と同様に蓋体１３を閉じることができる。
【００２０】
次に、内蓋検知の作用について説明する。図２、図３は内蓋１８が取り付けられた状態にあり、内蓋１８のリング１８ａが内蓋保持具１９を矢印ロ方向（前側方向）に摺動させてマイクロスイッチ２４から離してＯＦＦ状態にしており、内蓋１８が取り付けられていることを検知する。
【００２１】
図８、図９では内蓋１８が取り付けられていない状態にあり、このためばね２２が内蓋保持具１９を矢印イ方向（後側方向）に摺動させてマイクロスイッチ２４をＯＮにしており、内蓋１８が取付けられていないことを検知する。
【００２２】
検知の結果、図７に示すように、操作基板１１に組み込まれた液晶に内蓋１８の有無が表示される（内蓋１８が取付けられているときは、特別に表示されない）。検知結果により内蓋１８がないと表示されたときは、炊飯を開始せず、ブザーによってこれが報知されるので、内蓋１８の取付け忘れを容易に知ることができる。
【００２３】
上記の内蓋検知の作用を図１０のフローチャートによって説明する。まず、炊飯ボタンを押す（ステップ１）と、内蓋１８の検知（ステップ２）が行われ、内蓋１８があるときは炊飯をスタート（ステップ３）する。内蓋１８がないときは、表示（ステップ４）と報知（ステップ５）を行い、炊飯を開始することはない。
【００２４】
なお、上記の説明においては、内蓋保持具１９の後部に検知手段であるマイクロスイッチ２４を配置した場合を示したが、マイクロスイッチ２４を横側に配置してアーム又はレバー等により内蓋保持具１９の動作を検知するようにしてもよく、また、マイクロスイッチ２４以外の検知手段を用いてもよい。
【００２５】
【発明の効果】
本発明は以上説明したように、内蓋の有無を検知する検知手段を備えたことにより、内蓋の洗浄時や乾燥時にも蓋体を閉めることができると共に、蓋体が閉められた状態でも内蓋の有無を容易に知ることができる。このため、常に、内蓋を取り付けておいしいご飯を炊くことができる。
【図面の簡単な説明】
【図１】本発明の一実施の形態に係る炊飯器の縦断面図である。
【図２】図１の要部拡大図である。
【図３】図２の上面図である。
【図４】図１の側面図である。
【図５】図１の平面図である。
【図６】図１の操作部の平面図である。
【図７】図６の要部の平面図である。
【図８】図１の作用説明図である。
【図９】図１の作用説明図である。
【図１０】図１の内蓋検知のフローチャート図である。
【符号の説明】
１  本体ケース、４  内鍋、１２  操作部、１２ａ  表示部、１３  蓋体、１４  ヒンジ部、１５  上蓋、１６  下蓋、１６ｃ  係止部、１８  内蓋、１９  内蓋保持具、２３  ラッチ、２４  検知手段（マイクロスイッチ）。
【図１】
2004180889.tif 000003
【図２】
2004180889.tif 000004
【図３】
2004180889.tif 000005
【図４】
2004180889.tif 000006
【図５】
2004180889.tif 000007
【図６】
2004180889.tif 000008
【図７】
2004180889.tif 000009
【図８】
2004180889.tif 000010
【図９】
2004180889.tif 000011
【図１０】
2004180889.tif 000012